【手続補正書】
【提出日】平成20年9月16日(2008.9.16)
【手続補正１】
【補正対象書類名】明細書
【補正対象項目名】特許請求の範囲
【補正方法】変更
【補正の内容】
【特許請求の範囲】
【請求項１】
複数の画素により構成された表示部と、該画素領域に表示信号電圧を入力するための信号線を有する画像表示装置において、上記信号線から第一の容量の一端に表示信号電圧を入力するために設けられた第一のスイッチ手段と、該第一の容量の他端に入力が接続された入力電圧反転出力手段と、該入力電圧反転出力手段の出力によって制御された発光手段と、該入力電圧反転出力手段の入力端と出力端の間に設けられた第二のスイッチ手段とを上記複数の画素領域の少なくとも１つに有し、更に、上記表示信号電圧を含む所定の電圧範囲内で掃引される画素駆動電圧を発生するための画素駆動電圧発生手段と、上記画素駆動電圧を上記画素における上記第一の容量の一端に入力するための画素駆動電圧入力手段とを有することを特徴とする画像表示装置。
【請求項２】
上記発光手段は、発光ダイオード素子であることを特徴とする請求項１記載の画像表示装置。
【請求項３】
上記発光ダイオード素子は、有機発光ダイオード(OLED, Organic Light Emitting Diode)素子であることを特徴とする請求項２記載の画像表示装置。
【請求項４】
上記各スイッチ手段及び入力電圧反転出力手段は、多結晶Si-TFT(Thin-Film-Transistor)を用いて透明基板上に設けられていることを特徴とする請求項１記載の画像表示装置。
【請求項５】
上記入力電圧反転出力手段は、CMOS(Complementary Metal Oxide Semiconductor)インバータ回路で構成されていることを特徴とする請求項１記載の画像表示装置。
【請求項６】
上記入力電圧反転出力手段は、多結晶Si-TFT(Thin-Film-Transistor)と、負荷となる発光ダイオード素子で構成されていることを特徴とする請求項２記載の画像表示装置。
【請求項７】
上記多結晶Si-TFTのゲートとソースの間には、更に第二の容量が設けられていることを特徴とする請求項６記載の画像表示装置。
【請求項８】
上記画素駆動電圧発生手段が発生する、所定の電圧範囲内でスイープする画素駆動電圧は、三角波であることを特徴とする請求項１記載の画像表示装置。
【請求項９】
上記画素駆動電圧発生手段が発生する、所定の電圧範囲内で掃引される画素駆動電圧は、階段波形であることを特徴とする請求項１記載の画像表示装置。
【請求項１０】
上記表示信号電圧は、該階段波形において離散的に分布する画素駆動各電圧の、隣接する２つの電圧の実質的中間の値をとることを特徴とする請求項９記載の画像表示装置。
【請求項１１】
該信号線と第一のスイッチ手段は、上記画素駆動電圧入力手段を兼ねることを特徴とする、特許請求の範囲第１項記載の画像表示装置。
【請求項１２】
上記画素駆動電圧入力手段は、該信号線と並行に設けられた画素駆動電圧線と、該画素駆動電圧線と該第一の容量の一端との間に設けられた第三のスイッチ手段で構成されることを特徴とする請求項１記載の画像表示装置。
【請求項１３】
上記表示信号電圧は、多結晶Si-TFT(Thin-Film-Transistor)を用いて構成したD-A変換器によって発生させたものであることを特徴とする請求項４記載の画像表示装置。
【請求項１４】
上記表示信号電圧は、単結晶Si-LSI(Large Scale Integrated circuit)によって発生させたものであることを特徴とする請求項４記載の画像表示装置。
【請求項１５】
上記第一の容量は、多結晶Si-TFTのゲート絶縁膜容量で構成されていることを特徴とする請求項４記載の画像表示装置。
【請求項１６】
上記画素駆動電圧は、画素一行分の表示信号電圧書込みタイミングと同期して掃引することを特徴とする請求項１記載の画像表示装置。
【請求項１７】
上記画素駆動電圧は、画素複数行分の表示信号電圧書込みタイミングと同期して掃引することを特徴とする請求項１記載の画像表示装置。
【請求項１８】
上記画素駆動電圧は、全画素の表示信号電圧書込みタイミングと同期して掃引することを特徴とする請求項１記載の画像表示装置。
【請求項１９】
上記画素駆動電圧の掃引繰返し周波数は、可変であることを特徴とする請求項１記載の画像表示装置。
【請求項２０】
上記画素駆動電圧の印加期間は、画素一行分の表示信号電圧の書込み期間と交互に設けられていることを特徴とする請求項１記載の画像表示装置。
【請求項２１】
複数の画素により構成された表示部と、外部から取り込まれた表示信号を記憶し、更にそのデータ処理を行う表示信号処理部と、該画素領域に表示信号電圧を入力するためにの信号線を有する画像表示装置において、
上記信号線から第一の容量の一端に表示信号電圧を入力するために設けられた第一のスイッチ手段と、該第一の容量の他端に入力が接続された入力電圧反転出力手段と、該入力電圧反転出力手段の出力によって制御された発光手段と、該入力電圧反転出力手段の入力端と出力端の間に設けられた第二のスイッチ手段とを上記複数の画素領域の少なくとも一つに有し、更に、上記表示信号電圧を含む所定の電圧範囲内でスイープする画素駆動電圧を発生するための画素駆動電圧発生手段と、該画素駆動電圧を上記画素における上記第一の容量の一端に入力するための画素駆動電圧入力手段とを有することを特徴とする画像表示装置。
【請求項２２】
複数の画素により構成された表示部と、
該画素内に発光手段を有する画像表示装置において、
該発光手段の点灯及び非点灯を制御するための点灯制御手段と、
第一の端子を該点灯制御手段に接続された容量と、
表示信号電圧を生成するための表示信号電圧生成手段と、
所定の画素駆動電圧を生成するための画素駆動電圧生成手段とを有し、
該容量の第二の端子に該表示信号電圧と該画素駆動電圧とを二者択一的に印加可能としたことを特徴とする画像表示装置。
【請求項２３】
上記発光手段は、発光ダイオード素子であることを特徴とする請求項２２記載の画像表示装置。
【請求項２４】
上記発光ダイオード素子は、有機発光ダイオード(OLED, Organic Light Emitting Diode)素子であることを特徴とする請求項２３記載の画像表示装置。
【請求項２５】
上記画素駆動電圧発生手段が発生する、所定の電圧範囲内でスイープする画素駆動電圧は、三角波であることを特徴とする請求項２２記載の画像表示装置。
【請求項２６】
上記画素駆動電圧発生手段が発生する、所定の電圧範囲内で掃引される画素駆動電圧は、階段波形であることを特徴とする請求項２２記載の画像表示装置。
【請求項２７】
上記表示信号電圧は、該階段波形において離散的に分布する画素駆動各電圧の、隣接する２つの電圧の実質的中間の値をとることを特徴とする請求項２６記載の画像表示装置。
【請求項２８】
上記画素駆動電圧は、画素一行分の表示信号電圧書込みタイミングと同期して掃引することを特徴とする請求項２２記載の画像表示装置。
【請求項２９】
上記画素駆動電圧は、画素複数行分の表示信号電圧書込みタイミングと同期して掃引することを特徴とする請求項２２記載の画像表示装置。
【請求項３０】
上記画素駆動電圧は、全画素の表示信号電圧書込みタイミングと同期して掃引することを特徴とする請求項２２記載の画像表示装置。
【請求項３１】
上記画素駆動電圧の掃引繰返し周波数は、可変であることを特徴とする請求項２２記載の画像表示装置。
【請求項３２】
上記画素駆動電圧の印加期間は、画素一行分の表示信号電圧の書込み期間と交互に設けられていることを特徴とする請求項２２記載の画像表示装置。